(57)【要約】【課題】データ記録中において管理情報を記録せずに記憶再生装置への電源供給が突然遮断された場合でも、電源復帰後にデータ及び管理情報を記録可能とすることを課題とする。【解決手段】ユーザーデータ記録領域と、交替領域と、前記交替領域の使用時または記録状態変更時に使用する、管理情報を格納する管理情報格納領域と、を有する媒体に情報を記録又は再生する記録再生装置であって、前記交替領域に記録する交替データ又は前記管理情報を記憶する不揮発性メモリ手段、前記不揮発性メモリ手段内のデータを前記媒体に記録する情報記録手段、及び、前記情報記録手段が、前記媒体へ記録するタイミングを設定するタイミング設定手段、を具備し、前記タイミング設定手段で設定する記録開始タイミングは、内部または外部から任意で設定可能とする。【選択図】図１
2010192043.tif 000002
【特許請求の範囲】
【請求項１】
ユーザーデータ記録領域と、交替領域と、前記交替領域の使用時または記録状態変更時に使用する、管理情報を格納する管理情報格納領域と、を有する媒体に情報を記録又は再生する記録再生装置であって、
前記交替領域に記録する交替データ又は前記管理情報を記憶する不揮発性メモリ手段、
前記不揮発性メモリ手段内のデータを前記媒体に記録する情報記録手段、及び、
前記情報記録手段が、前記媒体へ記録するタイミングを設定するタイミング設定手段、
を具備し、
前記タイミング設定手段で設定する記録開始タイミングは、
内部または外部から任意で設定可能なことを特徴とする記録再生装置。
【請求項２】
請求項１に記載の記録再生装置であって、
前記タイミング設定手段が設定可能な記録開始タイミングは、前記媒体排出時であること
を特徴とする記録再生装置。
【請求項３】
請求項１に記載の記録再生装置であって、
前記タイミング設定手段が設定可能な記録開始タイミングは、前記記録再生装置の電源投入後であること
を特徴とする記録再生装置。
【請求項４】
請求項１に記載の記録再生装置であって、
前記タイミング設定手段が設定可能な記録開始タイミングは、前記不揮発性メモリ手段の記憶量が所定の容量を超えた時であること
を特徴とする記録再生装置。
【請求項５】
請求項１に記載の記録再生装置であって、
ホスト装置と接続される時、
前記タイミング設定手段が設定可能な記録開始タイミングは、ホスト装置から命令された時であること
を特徴とする記録再生装置。
【請求項６】
請求項１に記載の記録再生装置であって、
更に情報記録有無フラグ更新手段を具備し、
該情報記録有無フラグ更新手段は、
前記不揮発性メモリ手段内に設置されたフラグを、
前記不揮発性メモリ手段内から前記媒体へのデータが未反映ならばONに設定し、
前記媒体へのデータ反映が全て反映済みならばOFFに設定すること
を特徴とする記録再生装置。
【請求項７】
請求項６に記載の記録再生装置であって、
前記タイミング設定手段が設定可能な記録開始タイミングは、前記記録再生装置の電源投入後であるときに、
前記情報記録手段は前記更新有無フラグがONの時はデータ反映要と判断し、
前記不揮発性メモリ手段から前記媒体へのデータ反映を行うこと
を特徴とする記録再生装置。
【請求項８】
ユーザーデータ記録領域と、交替領域と、交替領域使用時または記録状態変更時に使用する、管理情報を格納する管理情報格納領域とを有する媒体に情報を記録又は再生する記録再生装置であって、
該交替領域に記録する交替データと、前記管理情報とを記録する不揮発性メモリ手段、
ホスト装置と接続される時、該不揮発性メモリを用いた交替処理機能または管理情報記録更新機能を具備しているかどうかを前記ホスト装置へ報告する性能報告手段を具備すること、
を特徴とする記録再生装置。
【請求項９】
請求項８に記載の記録再生装置であって、設定報告手段を具備し、
該設定報告手段は、前記タイミング設定手段に設定された、
記録開始タイミングを前記ホスト装置に報告する手段であること
を特徴とする記録再生装置。
【請求項１０】
ユーザーデータ記録領域と、交替領域と、交替領域使用時や記録状態が変更時に使用する、管理情報を格納する管理情報格納領域を有する媒体にデータの記録再生を行う記録再生方法であって、
前記交替領域に記録する交替データや該管理情報を不揮発性メモリに記録し、
該不揮発性メモリ内のデータを該媒体へ記録開始するタイミングを
内部または外部から任意で設定可能なことを特徴とする記録再生方法。
【請求項１１】
請求項１０に記載の記録再生方法であって、前記の記録開始タイミングは、
媒体排出時であることを特徴とする記録再生方法。
【請求項１２】
請求項１０に記載の記録再生方法であって、前記の記録開始タイミングは、
記録再生装置の電源投入後であることを特徴とする記録再生方法。
【請求項１３】
請求項１０に記載の記録再生方法であって、前記の記録開始タイミングは、
前記不揮発性メモリ手段の記憶量が所定の容量を超えた時であること
を特徴とする記録再生方法。
【請求項１４】
請求項１０に記載の記録再生方法であって、前記の記録開始タイミングは、
該記録再生方法を用いた記録装置とホスト装置と接続される時、または、前記ホスト装置から命令された時であること
を特徴とする記録再生方法。
【請求項１５】
請求項１０に記載の記録再生方法であって、前記の記録開始タイミング時に、
前記不揮発性メモリ内に設けられた情報記録有無フラグを、
前記媒体へのデータを未反映ならばONに設定し、
前記媒体へのデータを反映済みならばOFFに設定すること
を特徴とする記録再生方法。
【請求項１６】
請求項１５に記載の記録再生方法であって、前記の記録開始タイミングが、
記録再生装置の電源投入後であり、当該記録開始タイミングにおいて、
前記更新有無フラグがONの時にデータ反映要と判断し、
前記不揮発性メモリから前記媒体へのデータ反映を行うこと
を特徴とする記録再生方法。
【請求項１７】
ユーザーデータ記録領域と、交替領域と、交替領域使用時または記録状態変更時に使用する、管理情報を格納する管理情報格納領域を有する媒体にデータの記録再生を行う記録再生方法であって、
前記交替領域に記録する交替データと前記管理情報を不揮発性メモリに記録し、
記録装置がホスト装置と接続される時、
該不揮発性メモリを用いた交替処理機能または管理情報記録更新機能を具備しているかどうかをホスト装置へ報告することを特徴とする記録再生方法。
【請求項１８】
請求項１７に記載の記録再生方法であって、
設定されている前記の記録開始タイミングを
前記ホスト装置へ報告することが可能なことを特徴とする記録再生方法。
【発明の詳細な説明】
【技術分野】
【０００１】
本発明は記録再生装置及び記録再生方法に係り、特に媒体の交替領域や媒体管理領域を用いた記録再生方法及び記録再生装置に関する。
【背景技術】
【０００２】
現在、CD-R/RW  (CD Recordable / Rewritable)、DVD±R/RW  (DVD±Recordable / Rerecordable Disc)、DVD-RAM (DVD-Re-writable)、Ｂｌｕ-ｒａｙ Ｄｉｓｃ 等に代表される光学式のディスク状記録媒体に対して、半導体レーザーを用いてレーザー光を照射し、データ記録を行う記録再生装置がある。
【０００３】
このような記録再生装置ではディスクへ書き込む前のデータや、ディスクから読み込んだデータ、記録再生装置が持つ管理情報を一時退避しておく記憶領域として、ＤＲＡＭ(Dynamic Random Access Memory)、やＳＲＡＭ(Static Random Access Memory)が使用されている。共に電源が供給されなくなると、データを保持できない揮発性のメモリである。記録再生装置にはＥＥＰＲＯＭ(Electrically Erasable and Programmable Read Only Memory)に代表される不揮発性メモリも搭載されているものもあるが容量、書き換え性能の問題から、頻繁に書き換えが発生する事が予想されるディスクへの記録データ、ディスクからの再生データの保存には適さない。
【０００４】
また、書き換え型もしくは追記型の光ディスク媒体は、メディアの部分破損による傷や、指紋、汚れ、記録膜の劣化等によりメディア上の欠陥（ディフェクト）部分が発生し、その欠陥部分に記録を行っても、データを読み出すことが出来なくなる可能性が高くなる。このようなディスク面の欠陥を回避してディスク寿命を延ばす１つの方法として、その欠陥部分にはデータの記録は行わずに、同じ光ディスク上に設けた交替領域（代替記録領域）に記録を行う、リニアリプレースメント(Linear Replacement)と呼ばれる欠陥管理方法(交替処理方法)がある。このことは、非特許文献１の２９〜３１頁に記載されている。また、ＴＤＭＡ(Temporary Defect Management Area)を用いた欠陥管理方法が、特許文献１、特許文献２に記載されている。
【先行技術文献】
【特許文献】
【０００５】
【特許文献１】特開２００６−３４４３７５号公報
【特許文献２】特開２００６−５１９４５９号公報
【非特許文献】
【０００６】
【非特許文献１】トリケップス企画部編集  「ＤＶＤ-ＲＡＭ技術」株式会社トリケップス発行  ２０００年
【発明の概要】
【発明が解決しようとする課題】
【０００７】
ＴＤＭＡに欠陥管理情報を記録せずに、記憶再生装置への電源供給が突然遮断された場合、遮断後は揮発性のメモリにデータが残っていないため、光ディスク媒体に最新の状態を記録できず記録データを失ってしまう。
【０００８】
本発明の目的は、記録中に不測の電源断が発生した後でも記録データ及び管理情報を失うことなくデータを記録することが可能な使い勝手のよい光ディスク記録再生装置を提供することにある。
【課題を解決するための手段】
【０００９】
上記目的は、一例として、特許請求の範囲に記載の発明により達成される。
【発明の効果】
【００１０】
本発明によれば、記録中に不測の電源断が発生した後でも記録データ及び管理情報を失うことなくデータを記録することが可能となるので、使い勝手のよい光ディスク記録再生装置を提供することができる。
【図面の簡単な説明】
【００１１】
【図１】本発明の実施例に関る記録再生装置の構成を示すブロック図
【図２】ＢＤ−Ｒのディスク全体の構造を示した図
【図３】交替処理の説明とデータ記録中の管理情報更新の説明図
【図４】SEND UPDATE SETTING Command の一例
【図５】READ UPDATE SETTING Command の一例
【図６】ホスト装置と記録再生装置のコマンド応答の説明図
【図７】ＴＤＭＳ更新タイミングの説明図
【発明を実施するための形態】
【００１２】
以下、本発明の実施例を、図面を用いて説明する。
【実施例１】
【００１３】
以下、本発明の実施例を図面を用いて説明する。
図1は本発明の実施例に関る記録再生装置の構成を示すブロック図である。以下図面を用いて説明する。
【００１４】
同図において１０１は交替領域と管理情報格納領域をディスク上に持つデータを記録再生可能な光ディスク、１０２は光ディスク１０１から記録信号を読み取るピックアップ、１０３はデータ記録再生手段であり、図中には示していないがデータ記録再生手段１０３はピックアップ１０２の制御を行うサーボ制御手段や、データの変復調を行う手段、誤り訂正を行う手段、データを一時記憶しておく一時記憶手段や、その一時記憶手段を制御する一時記憶手段制御手段、ＡＴＡＰＩ(AT Attachment Packet Interface)に代表される、プロトコルに従ってホスト１０４とのやり取りを行うホストＩ／Ｆ手段など、ピックアップから読み出されたデータを、外部装置のホスト１０４へ出力、またはホスト１０４からのデータをディスク上に記録するために必要な手段をすべて備えている。１０５はそのデータ記録再生手段を制御するマイコンである。１０６は読み込み、書き込みデータや記録再生に必要な情報を一時保存しておく不揮発性メモリ手段、１０７は媒体に１０６内のデータを記録する情報記録手段、１０８は１０７の記録タイミングを設定するタイミング設定手段、１０９は１０８のタイミング設定関連の状態を報告する記録再生装置設定報告手段、１１０は１０６を用いた交替処理機能または管理情報記録更新機能を具備しているかどうかを報告する記録再生装置性能報告手段である。
【００１５】
図２は、ＢＤ−Ｒのディスク全体の構造を示した図である。大きく分けてＬｅａｄ-ｉｎ領域、Ｄａｔａ Ｚｏｎｅ領域、Ｌｅａｄ-ｏｕｔ領域の３つで構成されており、さらにＤａｔａ Ｚｏｎｅ領域は、内周の交替領域であるＩＳＡ０(Inner Spare Area 0)領域、ＵｓｅｒＤａｔａＡｒｅａ領域、外周の交替領域であるＯＳＡ０(Outer Spare Area 0)領域で構成される。記録状態の管理情報を記録するＴＤＭＡ(Temporary Disc Management Area)は、Ｌｅａｄ-ｉｎ領域、ＩＳＡ０領域、ＯＳＡ０領域内に存在し、それぞれＴＤＭＡ０、ＴＤＭＡ１、ＴＤＭＡ２となる。この例では、説明簡略化のためＩＳＡ０，ＯＳＡ０に含まれるＴＤＭＡ１、ＴＤＭＡ２は省略する。ＴＤＭＡ領域は複数のＴＤＭＳ(Temporary Disc Management Structure)から構成され、ＴＤＭＳは１回の更新(記録)単位となる。更にＴＤＭＳは、ＴＤＦＬ(Temporary Defect List)２０１、ＳＲＲＩ(Sequential Recording Range Information)２０２、ＴＤＤＳ(Temporary Disc Definition Structure)２０３で構成される。ＴＤＦＬ２０１は、主に主にディスク上の欠陥箇所に対する交替箇所を管理するリストとして使用されている。２０４はディスク上の欠陥箇所のＤｅｆｅｃｔｉｖｅ Ｃｌｕｓｔｅｒ Ｆｉｒｓｔ ＰＳＮであり、その交替箇所として２０５のＲｅｐｌａｃｅｍｅｎｔ Ｃｌｕｓｔｅｒ Ｆｉｒｓｔ ＰＳＮが割り付けられていることを示している。この２０４と２０５の組を１つのリストとし、ＴＤＦＬの領域分だけ記録可能である。ＳＲＲＩ２０２は、主にＳＲＲ(Sequential Recording Range)と呼ばれる、ＣＤのＴｒａｃｋに相当する記録領域についての管理情報が含まれている。また、ＴＤＤＳ２０３は、ＴＤＦＬの配置情報や、ＩＳＡ０、ＯＳＡ０の容量といったディスクの管理情報が含まれている。
【００１６】
次にＢＤ-Ｒの欠陥処理方法について図３を用いて説明する。
３０１はＩＳＡ０，ＯＳＡ０有りの交替領域が確保された状態でフォーマットされたディスク構成図である。図２で説明した通り、リードイン領域３０２、データ領域３０３、リードアウト領域３０４から構成されており、データ領域のディスク内周側にはＩＳＡ０、ディスク外周側にはＯＳＡ０が確保されている。この領域はデータ記録中に見つかった欠陥の交替領域等に使用される。
【００１７】
次に記録中に欠陥が見つかった場合の交替処理方法を３０８を用いて説明する。
ＢＤ-Ｒの交替領域３０５、３０６はディスクフォーマット時に事前にホスト装置からの指示（正確にはアプリケーションの指示）で確保される。図の白矢印で示したアドレスまで記録が行われ記録中に欠陥セクタ３０９が見つかった場合、ＩＳＡ０の交替領域へ交替が行われた例であり、図中の黒矢印が欠陥領域と交替先領域の対応のイメージである。
また、この欠陥領域及び交替領域の位置情報が記録されるＴＤＭＡ（Temporary Defect Management Area）はリードイン領域に確保されている。(図２の２０１参照)
このように交替処理が行われた場合は、交替先領域へデータを即時記録する必要がある、つまりＴＤＦＬ情報を含むＴＤＭＳを即時更新して記録する必要がある。
即時、媒体に記録する必要な理由は不測の電源断などがＴＤＭＳ記録前に発生した場合、揮発性のＤＲＡＭ等に情報を一時保存している現在のシステムにおいてはデータ復旧をする方法がない為である。
【００１８】
次にデータ記録中における管理領域更新例を３１０を用いて説明する。
管理情報の更新契機は複数存在するが、そのうちの一つであるデータ記録中のＬＲＡ(Last Recorded Address)更新について以下、説明する。
図２で説明したＴＤＭＳのＳＲＲＩは、媒体の何処のアドレスまで記録を行ったか（＝ＬＲＡ）という情報を含んでいる。これは媒体挿入時に記録開始アドレスをすばやく探すために使用される。もし定期的なＬＲＡの更新が行われないとすると媒体挿入時、データ先頭からＬＲＡ検索を行わねばならず、検索に時間を要してしまう。従って、ある一定のデータ記録量毎にＳＲＲＩ中のＬＲＡを更新する、つまりＴＤＭＳを記録する必要がある。３１０の上図の状態にてＴＤＭＳが３１１まで記録されているとする。この状態から３１３の記録が行われ、３１１の下図の状態になったとする。もし３１３のデータ記録量がＴＤＭＳを更新が必要な記録量を超えていたとすると、３１２のＴＤＭＳが記録される。
このように連続記録中でも定期的にＴＤＭＳを記録する必要がある。
【００１９】
従って、データ記録中においても、交替処理時やＬＲＡ更新のためにＴＤＭＳを記録する必要がある。データ記録中にＴＤＭＳを記録するデメリットは以下が考えられる。
その１、目的アドレスへのシーク回数増加、またそれに伴う騒音増加、消費電力増加。
その２、追記することによるＴＤＭＡ領域の消費量増加。
【００２０】
以上より、記録中のＴＤＭＳ記録が少ない方が記録再生装置にとってメリットが大きい。
しかし前述の通り、データ記録中のＴＤＭＳの記録は必須となっている。
そこで、記録するデータ、管理データの一時保存場所として利用されている揮発性メモリであるＤＲＡＭに替えて、フラッシュメモリ等の不揮発性メモリを用いれば、不測の電源断でもデータが保持される為、データ記録中であってもＴＤＭＳを記録をする必要がなくなり、ＴＤＭＳの記録回数を減少させることが可能である。つまり上述したデメリットを全て解消出来る。しかし、不揮発性メモリを用いたＴＤＭＳ更新方法は実現されておらず、パソコンに代表されるホスト装置（レコーダー、ビデオカメラ等では本体に内蔵されている）と記録再生装置を接続する際のＴＤＭＳ更新タイミングも規定されていない。
【００２１】
そこで本実施例では、不揮発性メモリを用いたＴＤＭＳ更新を行う記録再生装置において、ＴＤＭＳ更新を行うタイミングとその方法について考える。以下、図４〜７を用いて説明を加える。図７の７０１〜７０４はＴＤＭＳ更新のタイミング例を示した図である。
なお、７０１〜７０４の例はデータ記録中に欠陥が見つかり交替処理を行う必要がある場合を想定している。順に説明を加える。
【００２２】
７０１は、データ記録中に欠陥が見つかってもＴＤＭＳをすぐには記録せずそのままデータ記録を継続し、媒体をEjectする際にＴＤＭＳを記録する例である。Ejectするまで不揮発性メモリに全てのデータを保持可能であることが条件となるが、媒体排出時のみ更新すれば良い為、ＴＤＭＳ更新回数を大幅に減らすことが可能である。
７０２は、データ記録中に欠陥が見つかってもＴＤＭＳをすぐには記録せずそのままデータ記録を継続し、データ記録中に不測の電源断が発生した後にＴＤＭＳを記録する例である。電源オフとなっても不揮発性メモリに交替データ及び管理データが保持されているため、電源オン後にＴＤＭＳを記録することが可能である。
【００２３】
電源オン後にＴＤＭＳを記録すべきか否かは、不揮発性メモリ内に更新有無のフラグを設け、不揮発性メモリ内に媒体に未反映のデータが有る場合はフラグを１のままにしておき、不揮発性メモリ内のデータを全て媒体に反映したときはフラグを０にしておけば良い。
こうすることでフラグ状態は１のままで電源断されるため、電源オン後のフラグ状態は１であり、記録再生媒体は不揮発性メモリ内のデータを媒体を未反映であることがわかる。
なお電源オン後、どのタイミングでＴＤＭＳ更新を行うかは記録再生装置メーカーの裁量であり、どのタイミングでも構わない。
【００２４】
７０３は、データ記録中に欠陥が見つかってもＴＤＭＳをすぐには記録せずそのままデータ記録を継続し、データ記録終了後にホスト装置からのＴＤＭＳ更新指示でＴＤＭＳ更新を行う例である。７０３の例では記録終了後に更新を行っているが、記録中に行うのか記録終了後に行うのかは、ホスト装置メーカーの裁量であり、どちらでも構わない。
【００２５】
７０４は、データ記録中に欠陥が見つかってもＴＤＭＳをすぐには記録せずそのままデータ記録を継続し、不揮発性メモリに一定量のデータが保存されたらＴＤＭＳ更新を行う例である。７０４の例では記録中に4回の交替処理が発生している。不揮発性メモリの最大保存容量に対して、データ保存量が70％を超えた場合に媒体へデータを反映させる設定の場合、4回目の交替処理で閾値を超えたので、記録再生装置はＴＤＭＳ更新を行う。７０４の例では記録中に更新を行っているが、記録中に行うのか記録終了後に行うのかは、記録再生装置メーカーの裁量であり、どちらでも構わない。また、当然設定される閾値も同様に記録再生装置メーカーの裁量となる。また、パーセンテージで指定しても良いし、交替処理の発生回数による閾値設定でも同様の結果が得られる。
【００２６】
以上、７０１〜７０４で本実施例におけるＴＤＭＳ更新タイミングの例を説明したが、例えば従来の事例のように、交替処理発生後に即時行う等、ＴＤＭＳ更新タイミングは本実施例以外にも色々考えられる。不揮発性メモリを用いることで、如何なるタイミングであってもＴＤＭＳを更新することが可能である。
【００２７】
７０１〜７０４を組み合わせることで、ＴＤＭＳ更新タイミングを複数パターン設定することが可能であり、設計者の思い通りにＴＤＭＳを記録することが可能となる。
【００２８】
また、図７では交替処理が発生した時の例を示した。ＴＤＭＳ更新のタイミングは他にも存在し、ＬＲＡの更新時やディスクのファイル構造が変化した時などがある。当然これらの場合にも同様にＴＤＭＳ更新タイミング設定方法を適応可能である。
次にホスト装置側からの設定について説明する。７０１〜７０４のうち、７０３以外は記録再生装置内部の設定であるため、記録再生装置を設計する際に設計者が更新パターンを一度設定してしまうと後からは、ファームウェア変更でしか変更が出来なくなる。そこでホスト装置から自由にタイミングを設定する方法が考えられる。ホスト装置から記録再生装置を制御する際に、ＡＴＡＰＩに代表される規格準拠のコマンドを用いて設定を行えば良い。そこでホスト装置からタイミング設定を行う方法を以下、説明する。
【００２９】
図４，５は本実施例で提案するコマンドの一例である。
図４は、SEND UPDATE SETTING Command、図５はREAD UPDATE SETTING Command である。
図４から説明を行う。図４のＢｙｔｅ０のOperation Codeとは、ホスト装置から記録再生装置へ発行されるコマンド内に含まれる動作認識コードであり、記録再生装置はOperation Codeの値を見て、ホスト装置から指示された動作を理解する。本実施例では７０ｈを不揮発性メモリを用いた記録タイミング設定用のコマンドと定義した。Operation Code＝７０ｈはＢｙｔｅ２，３で値を指定して、記録再生装置の動作を制御する。
【００３０】
Ｂｙｔｅ２のbit0〜bit3の各ビットは、記録タイミング設定種別を指定するビットである。bit0：ＥｊはEject時にＴＤＭＳ更新を行う指定である。７０１で説明した動作を行う。Bit1：Ｐｏｗは電源オン後にＴＤＭＳ更新を行う指定である。７０２で説明した動作を行う。Bit2：Ｈｏｓｔはホスト装置からの指示でＴＤＭＳ更新を行う指定である。７０３で説明した動作を行う。Bit3：Ｃａｐは不揮発性メモリに記録されたデータ量に応じてＴＤＭＳ更新を行う指定である。７０４で説明した動作を行う。
【００３１】
Ｂｙｔｅ３のCap_percentageは、Bit3：Ｃａｐと合わせて使用するものである。このCap_percentageを７０％で設定すると、７０４の例で説明した動作と一致する。つまり、Cap_percentageの設定で更新頻度を自由に変更可能となる。ここではパーセンテージでの指定方法の例を挙げたが、先ほど述べた様に交替処理発生回数などで指定しても同様の効果が得られる。なお、Ｂｙｔｅ２の各ビットはＯＲでの設定が可能であり、全ビットを同時に設定することも可能である。 
続けて図５の説明を行う。図５上のＢｙｔｅ０のOperation Codeは、本実施例では８０ｈとした。このOperation Codeでコマンドが発行されることにより、記録再生装置は図５下のREAD UPDATE SETTING Data formatで定められたフォーマットで現在の設定値をホスト装置に報告する。図５上のＢｙｔｅ８、９Allocation Lengthは、図５下のREAD UPDATE SETTING Data formatの総バイト数を示している。
【００３２】
図５下のＢｙｔｅ０，１はUPDATE SETTING Data Lengthで、Ｂｙｔｅ２以下の総バイト数を示している。Ｂｙｔｅ４のbit0：Ｎｖは、記録再生装置が不揮発性メモリを搭載し、かつ該不揮発性メモリを用いて交替処理または管理情報更新を行う機能を具備しているかどうかを報告するビットである。例えば、Ｎｖ＝１の時は不揮発性メモリを用いた交替処理が可能である、とすると、ホスト装置側で設定変更が可能であることが把握出来る。
また、これにより従来の揮発性メモリを用いたデータ記録再生システムから不揮発性メモリを搭載した記録再生システムへ市場が移行する過渡期においても、どの装置が不揮発性メモリを搭載した記録再生システムであるかどうかがを判別可能である。
【００３３】
Ｂｙｔｅ４のBit1：Ｕｐｄａｔｅｄは、不揮発性メモリから媒体への更新が全て行われた場合に１となるビットである。ホスト装置はこのビットを確認することで不揮発性メモリ内のデータが媒体に全て反映されているかどうかを確認することが出来る。Ｂｙｔｅ５のbit0〜bit3の各ビットは図４で説明したビットと1対1で対応しており、それぞれのタイミング設定が設定されているか否かを報告する。全てのビットが設定されているとすれば、全ビットが１で報告される。Ｂｙｔｅ６のCap_percentageも同じく図4で説明したCap_percentageで設定された値が報告される。また、本実施例では、新規でOperation Codeを追加して対応したが、既存のOperation Codeに追加機能として加える形で対応しても本実施例と同一の効果が得られる。その際、バイト配置、ビット配置の相違は関係なく本実施例と同一の効果が得られる。
【００３４】
図６を用いて実際の動作例を説明する。右側がホスト装置側、左側が記録再生装置側である。まずホスト装置がREAD UPDATE SETTING Commandを発行して、記録再生装置が不揮発性メモリを用いた記録再生システムに対応しているかどうかを確認する。記録再生装置は対応していればＮｖビット＝１で応答する。ホスト装置は、Ｎｖビット＝１であるならば、Cap, Host, Pow, Ej ビットの何れかを１に設定し、SEND UPDATE SETTING Commandを発行する。記録再生装置は設定されたビットのタイミングでそれ以後、ＴＤＭＳ更新を行う。また再度、ホスト装置がREAD UPDATE SETTING Commandを発行した場合、記録再生装置は現在の設定状況を報告する。
【００３５】
以上、本実施例では追記型の媒体を例に説明したが、追記型と書き換え型の媒体の違いは、ユーザーデータ論理アドレス管理テーブルを追記するか、上書きするかの違いだけであるので書き換え型に本発明を適応しても同様の効果が得られる。また、単層、多層に限らず同一の効果が得られることは言うまでもない。また、今回の実施例で説明した光ディスクに限らず、交替領域、管理情報格納領域、という概念を持つ記録媒体であれば、本発明が適応可能であり、同一の効果が得られることは言うまでもない。
【００３６】
以上、本発明は一時記憶メモリとして不揮発性メモリを用いて、記憶再生装置への電源供給が突然遮断された場合でも記録媒体へのデータ記録が可能となる。
【００３７】
また、記録再生装置と接続されるホスト装置との通信仕様を明確にし、ホスト装置からのタイミング設定も可能とした。
【符号の説明】
【００３８】
１０１…データを記録再生可能な光ディスク、１０２…ピックアップ、１０３…記録再生装置、１０４…ホスト、１０５…マイコン、１０６…不揮発性メモリ手段、１０７…情報記録手段、１０８…タイミング設定手段、１０９…記録再生装置設定報告手段、１１０…記録再生装置性能報告手段、２０１…ＴＤＦＬ、２０２…ＳＲＲＩ、２０３…ＴＤＤＳ、２０４…Ｄｅｆｅｃｔｉｖｅ Ｃｌｕｓｔｅｒ Ｆｉｒｓｔ ＰＳＮ、２０５…Ｒｅｐｌａｃｅｍｅｎｔ Ｃｌｕｓｔｅｒ Ｆｉｒｓｔ ＰＳＮ、３０１…ＩＳＡ０，ＯＳＡ０有りでフォーマットされたディスク構成図、３０２…リードイン領域、３０３…データ領域、３０４…リードアウト領域、３０５…ＩＳＡ０、３０６…ＯＳＡ０、３０７…ユーザーが使用できる領域、３０８…交替処理方法の説明のためのディスク構成図、３０９…欠陥セクタ、３１０…データ記録中における管理領域更新例、３１１…記録済みの管理領域、３１２…追記された管理領域、３１３…追記されたデータ領域、７０１…媒体をEjectする際にＴＤＭＳを記録する例、７０２…データ記録中に不測の電源断が発生した後にＴＤＭＳを記録する例、７０３…データ記録終了後にホスト装置からのＴＤＭＳ更新指示でＴＤＭＳ更新を行う例、７０４…不揮発性メモリに一定量のデータが保存されたらＴＤＭＳ更新を行う例
【図１】
2010192043.tif 000003
【図２】
2010192043.tif 000004
【図３】
2010192043.tif 000005
【図４】
2010192043.tif 000006
【図５】
2010192043.tif 000007
【図６】
2010192043.tif 000008
【図７】
2010192043.tif 000009